(57)【要約】【課題】通帳のバーコードや記帳印字のラインセンサによる読取りの異常に対して、読取り異常の要因を容易に見分けることを可能にする。【解決手段】取引用記録媒体取扱装置は、通帳読取装置８１を備え、通帳読取装置８１は、通帳９１に印されたバーコードや記帳印字の画素を、光学部９５のラインセンサで所定間隔のライン毎に読取る。ラインセンサで読取った画素のライン毎の画素数の数値情報を、制御部９８の画素数記憶手段９８２に記憶する。制御部９８の棒状グラフ表示制御手段９８３は、ライン毎の画素数を、該画素数に応じた長さの棒状グラフでライン毎に表示し、かつ、該ライン毎の棒状グラフの中心位置が全ての棒状グラフに亘って一定の位置となるように表示する。【選択図】図１
2014238729.tif 000002
【特許請求の範囲】
【請求項１】
定型書式の取引用記録媒体に印された画素を、所定間隔のライン毎に読取るラインセンサと、
前記ラインセンサで読取った画素のライン毎の画素数の数値情報を記憶する画素数記憶手段と、
前記ライン毎の画素数を、該画素数に応じた長さの棒状グラフでライン毎に表示し、かつ、該ライン毎の棒状グラフの中心位置が全ての棒状グラフに亘って一定の位置となるように表示する棒状グラフ表示制御手段と、
を備えたことを特徴とする取引用記録媒体取扱装置。
【請求項２】
前記棒状グラフ表示手段は、前記取引用記録媒体に印された画素の前記取引用記録媒体における配置位置を示すための補助ラインを表示し、前記棒状グラフを、該補助ラインとともに、前記取引用記録媒体における前記画素の配置位置に対応した位置に配置して表示することを特徴とする請求項１記載の取引用記録媒体取扱装置。
【請求項３】
前記棒状グラフ表示手段は、前記補助ラインで示される前記配置位置を、前記棒状グラフが越える場合、該補助ラインを特定して警告を表示することを特徴とする請求項２記載の取引用記録媒体取扱装置。
【請求項４】
前記棒状グラフ表示手段は、前記補助ラインから、前記棒状グラフの端部が所定長以上離れている場合、該補助ラインを特定して警告を表示することを特徴とする請求項２記載の取引用記録媒体取扱装置。
【請求項５】
定型書式の取引用記録媒体に印された画素を、所定間隔のライン毎にラインセンサにより読取るライン読取ステップと、
前記ラインセンサで読取った画素のライン毎の画素数の数値情報をメモリに記憶させる画素数記憶ステップと、
前記ライン毎の画素数を、該画素数に応じた長さの棒状グラフでライン毎に表示し、かつ、該ライン毎の棒状グラフの中心位置が全ての棒状グラフに亘って一定の位置となるように表示部に表示させる棒状グラフ表示ステップと、
を含むことを特徴とする取引用記録媒体の画素表示方法。
【請求項６】
前記棒状グラフ表示ステップは、前記取引用記録媒体に印された画素の前記取引用記録媒体における配置位置を示すための補助ラインを前記表示部に表示させ、前記棒状グラフを、該補助ラインとともに、前記取引用記録媒体における前記画素の配置位置に対応した位置に配置して表示させることを特徴とする請求項５記載の取引用記録媒体の画素表示方法。
【請求項７】
前記棒状グラフ表示ステップは、前記補助ラインで示される前記配置位置を、前記棒状グラフが越える場合、該補助ラインを特定して警告を前記表示部に表示させることを特徴とする請求項６記載の取引用記録媒体の画素表示方法。
【請求項８】
前記棒状グラフ表示ステップは、前記補助ラインから、前記棒状グラフの端部が所定長以上離れている場合、該補助ラインを特定して警告を前記表示部に表示させることを特徴とする請求項６記載の取引用記録媒体の画素表示方法。
【発明の詳細な説明】
【技術分野】
【０００１】
本発明は、金融機関等で使用される通帳や伝票等の定型書式の取引用記録媒体に印されたバーコードや文字等の情報を読取って取引データ等を処理する取引用記録媒体取扱装置及び取引用記録媒体の画素表示方法に関する。
【背景技術】
【０００２】
銀行、信用金庫、郵便局等の金融機関では、顧客に対する入出金等の取引に現金自動取引装置（ＡＴＭ：Automated teller machine）が使用されている。現金自動取引装置（ＡＴＭ）は、顧客がみずから操作して、入金、出金、通帳記帳、残高照会、振込、振替、送金、定期性預金設定等の金融サービス利用の取引を行うための取引用記録媒体取扱装置である。
【０００３】
図８は取引用記録媒体取扱装置の構成例を示す。取引用記録媒体取扱装置８０は、通帳読取装置８１、操作部８２、主制御部８３、記憶部８４を備える。通帳読取装置８１は、挿入された通帳に付された磁気ストライプ及び通帳の各頁に印刷されたバーコードや記帳された印字文字を読取る。
【０００４】
操作部８２は、タッチパネルを有する表示部を備え、顧客に操作案内情報を表示すると共に、顧客がタッチパネルの指触等により入力される金融サービス利用の取引データを主制御部８３に送出する。主制御部８３は、通帳読取装置８１及び操作部８２の動作を制御する。
【０００５】
また、主制御部８３は、通帳読取装置８１及び操作部８２において取得された種々の取引データや監視データ等を、ホストコンピュータ８５に送信し、ホストコンピュータ８５からの制御情報に従って、通帳読取装置８１及び操作部８２の動作を制御する。
【０００６】
記憶部８４は、半導体メモリやハードディスク等の記憶媒体を備え、主制御部８３に種々の処理を実行させるためのプログラムや、主制御部８３が種々の処理を実行する際に一時的に保持するデータや、処理結果や取引内容の記録（ログ）データ等を記憶する。
【０００７】
図９は、通帳読取装置８１の構成例を示す。通帳読取装置８１は、通帳９１が挿入口９２に挿入されると、通帳９１を搬送ローラ９３により、磁気部９４、光学部９５、印字部９６、捲り部９７に搬送し、それぞれ、磁気情報の読書き、光学情報の読取り、取引明細の印字、通帳の頁捲りを行う。
【０００８】
光学部９５においては、搬送ローラ９３により搬送された通帳９１に付されているバーコード、日付欄等の記帳印字の画素を、読取面９５１を通して、光学センサであるラインセンサ（図示省略)により所定間隔毎にスキャンして逐次読み込む。
【０００９】
光学部９５で読み込まれた画素は、制御部９８において画素の有無を示す２値化された画素データとして加工され、バーコードの認識、記帳印字行の検出が行われる。制御部９８は、通信制御部９８１を備え、バーコード／記帳印字行の認識／検出の結果を、通信制御部９８１を介して上位の主制御部８３に通知する。
【００１０】
印字部９６は、プラテン９６１上に搬送された通帳９１に対して、ワイヤドットプリンタ（図示省略）によりインクリボン（図示省略）のインクを打ち付け、通帳の日付欄に日付、摘要欄に取引明細、金額欄に入出金の金額等の文字を印字する。
【００１１】
図１０は、通帳９１の明細の記帳の一例を示す。図１０の（ａ）は、縦型と呼ばれるバーコード１０１が付された記帳頁の例を示し、（ｂ）は、横型と呼ばれるバーコード１０２が付された記帳頁の例を示している。一般に図１０の（ａ）、(ｂ）に示すように、通帳９１の記帳頁に付されるバーコードには二つの種類のバーコードが存在する。また、通帳９１の記帳頁には、取引が行われた年月日、摘要、支払金額等の項目が並び、取引内容の明細が所定の欄内に印字される。
【００１２】
通帳９１の各記帳頁のバーコード及び年月日の欄の記帳印字は、光学部９５内のラインセンサにより、通帳９１が搬送ローラ９３により搬送されて光学部９５の読取面９５１を通過するときに読取られる。
【００１３】
図１１は、ラインセンサによって読取られた画素数を数値化した例を示す。図１１の（ａ）に示すように、通帳９１の搬送により、ラインセンサ１１１の光学読取エリア１１２内を通過するバーコード及び年月日の欄の記帳印字の画素が、通帳９１の記帳頁の上端位置から下端位置までラインセンサ１１１により読取られる。
【００１４】
光学読取エリア１１２において、ラインセンサ１１１により読取られたバーコード及び年月日の欄の記帳印字の画素は、或る閾値より濃い画素に対して黒画素（論理値“１”）と判定される。ラインセンサ１１１による１ライン分のスキャンにおいて黒画素と判定された画素数の合計値を制御部９８内のメモリに１ライン毎に記憶する。
【００１５】
図１１の（ｂ）は、黒画素と判定された画素数の合計値をスキャンの１ライン毎の棒グラフとして示している。図１１の（ｂ）において、横軸は黒画素と判定された画素数を、縦軸は通帳９１の搬送に伴うスキャンの進行方向を表している。図１１の（ｃ）は、黒画素の画素数の合計値をスキャンの１ライン毎に記憶したメモリ内の数値例を示している。
【００１６】
ラインセンサ１１１によって読込まれ、メモリに取込まれた画像データを基に、バーコードの認識処理及び記帳印字の行位置の検出処理が制御部９８により行われる。それらの認識結果及び検出した行位置は、主制御部８３又は上位のホストコンピュータ８５に通知される。
【００１７】
なお、図１１の（ｂ）の棒グラフは、実際に取引用記録媒体取扱装置８０表示されるものではなく、ラインセンサ１１１により読取られた画像の黒画素数についての理解を容易にするために、黒画素の数量を視覚的に示したものである。
【００１８】
通帳の記帳頁のバーコードをラインセンサで読取り、その黒画素数を基に通帳の種類を判定する取引用媒体種別判定方法等について、下記の特許文献１等に記載されている。特許文献１に記載された取引用媒体種別判定方法は、通帳の種類によって縦型又は横型等の異なる種類のバーコードが付されている場合に、ラインセンサで読取ったライン毎のバーコードの黒画素数を基に、通帳の種類を判定する。
【先行技術文献】
【特許文献】
【００１９】
【特許文献１】特開２００８−３１０３８６号公報
【発明の概要】
【発明が解決しようとする課題】
【００２０】
通帳９１の各記帳頁に印刷されたバーコードや記帳印字の情報は、ラインセンサ１１１によって読取られ、読取られた結果は、主制御部８３又は上位のホストコンピュータ８５に通知される。しかしながら、ラインセンサ１１１の読取り部分は、常に通帳９１と接触しながら読取りを行う構造であるため、通帳９１等の紙粉（白ノイズ成分）やインクリボンの繊維屑（黒ノイズ成分）等が付着し、読取り異常が発生する場合がある。
【００２１】
また、挿入された通帳９１の側に汚れや折れがある場合、或いは他の金融機関の通帳が挿入された場合などでも、読取り異常となることがあり、何れの要因で読取り異常が発生したのか、取引用記録媒体取扱装置側でも顧客側でも判定が難しい場合がある。
【００２２】
図１２は、ラインセンサ１１１にゴミ（黒ノイズ）が付着し、頁数を示すバーコードの認識異常による「頁異常」及び記帳印字の「行検出異常」となってしまう例を示す。図１２の（ａ）に示すように、ラインセンサ１１１にゴミ１２１が付着した場合、ラインセンサ１１１により取込まれた画素データには、常に数個の黒画素（ゴミ画素）が入り込む。しかし、上位側の制御部にはこの情報が伝わらないため、上位側では、何故「頁異常」や「行検出異常」が発生したのか、原因を究明することができない。
【００２３】
また、図１２の（ｂ）に示すような黒画素数の棒グラフや、図１２の（ｃ）に示すようなメモリ内部の黒画素数の数値を、銀行員や保守員に見せても、銀行員や保守員がそれらを見てすぐにラインセンサ１１１にゴミが付着していることを予測することは困難である。
【００２４】
この場合、取引用記録媒体取扱装置８０では、通帳９１を返却し、通帳９１の再挿入や窓口への誘導等を促す案内を表示させる機能により対処し、顧客側では、銀行員や保守員に備付けの電話を通して連絡するなどにより、解決し得る場合もあるが、顧客によってはそのまま諦めて帰ってしまい、サービスの提供を損なうこともあった。
【００２５】
通帳返却の原因の究明においては、まず、銀行員や保守員が通帳９１の状態を確認し、外観上に問題が無いか、或いは他の取引用記録媒体取扱装置８０が有れば、その取引用記録媒体取扱装置８０での取扱状態を確認し、装置側と通帳側との原因の切り分けを行い、装置側に原因があると判断された場合、装置の製造業者に通帳返却の原因の問い合わせなどを行う。
【００２６】
その後、製造業者が通帳返却の調査を行うが、その段階においては、通帳返却を生じた通帳９１は、既に顧客が持ち帰り、銀行員や保守員からの通帳９１の折れ具合や汚損状態の問診情報と、取引用記録媒体取扱装置８０で保管されている異常発生時のログ情報等を基に、通帳返却の発生原因を推測し、特定しなければならならず、通帳返却の発生原因の特定に手間や手数が掛かるという問題があった。
【００２７】
上記課題に鑑み、本発明は、通帳のバーコードや記帳印字のラインセンサによる読取りの異常に対して、読取り異常の要因を容易に見分けることが可能となる取引用記録媒体取扱装置及び取引用記録媒体の画素表示方法を提供することを目的とする。
【課題を解決するための手段】
【００２８】
上記課題解決する一形態としての取引用記録媒体取扱装置は、通帳等の定型書式の取引用記録媒体に印された画素を、所定間隔のライン毎に読取るラインセンサと、前記ラインセンサで読取った画素のライン毎の画素数の数値情報を記憶する画素数記憶手段と、前記ライン毎の画素数を、該画素数に応じた長さの棒状グラフでライン毎に表示し、かつ、該ライン毎の棒状グラフの中心位置が全ての棒状グラフに亘って一定の位置となるように表示する棒状グラフ表示制御手段と、を備えたものである。
【発明の効果】
【００２９】
本発明によれば、ラインセンサにより読取った通帳のバーコードや記帳印字の画素の黒画素数を基に、該黒画素数の棒状グラフを、通帳の実際の画素配置の外観の形状と類似した形状に加工して表示することにより、通帳のバーコードや記帳印字のラインセンサによる読取りの異常に対して、読取り異常の要因を容易に見分けることが可能となる。
【００３０】
また、通帳の実際の外観の形状と類似した形状で表示する構成は、ラインセンサにより読取った通帳のバーコードや記帳印字の画素データの全てをメモリに記憶するのではなく、ラインセンサによりスキャンしたライン毎の黒画素数をメモリに記憶し、該黒画素数を基に表示するため、記憶容量の小さいメモリを用いて構成することが可能となる。
【図面の簡単な説明】
【００３１】
【図１】本発明による通帳読取装置の構成例を示す図である。
【図２】本発明による黒画素数の棒状グラフの表示例を示す図である。
【図３】余白数と黒画素数とを対応付けたテーブル及び棒状グラフを示す図である。
【図４】補助ラインを表示する例を示す図である。
【図５】補助ラインを点滅表示させて警告を表示する例を示す図である。
【図６】黒画素数の外観擬似表示画面を表示させる手順を示す図である。
【図７】取引用記録媒体の画素表示の処理フローを示す図である。
【図８】取引用記録媒体取扱装置の構成例を示す図である。
【図９】通帳読取装置の構成例を示す図である。
【図１０】通帳の明細の記帳の一例を示す図である。
【図１１】ラインセンサによって読取られた画素数を数値化した例を示す図である。
【図１２】ラインセンサにゴミが付着し、読取異常となってしまう例を示す図である。
【発明を実施するための形態】
【００３２】
本発明による取引用記録媒体取扱装置８０は、ラインセンサ１１１で読取った通帳９１の各記帳頁のバーコードや記帳印字の黒画素の画素数を基に、該黒画素の画素数の棒状グラフを、該バーコードや記帳印字の外観の形状と類似した形状となるように、操作部８２の表示画面に表示する。そうすることにより、ラインセンサ１１１に付着したゴミか、通帳９１に付着した汚れ又は通帳９１の記帳頁の折れ曲がり等による読取り異常かを、容易に見分けることが可能となる。
【００３３】
以下、図面を参照して本発明の実施形態について説明する。図１は本発明による取引用記録媒体取扱装置８０の通帳読取装置８１の構成例を示す。図１に示す構成例において、図９で説明した通帳読取装置８１と同一の構成要素には同一の符号を付し、重複した説明は省略する。
【００３４】
図１において、制御部９８は、光学部９５内のラインセンサによるスキャンで読取られた通帳９１の画素のライン毎の画素数の数値情報を画素数記憶手段９８２に記憶する。そして、画素数記憶手段９８２に記憶されたライン毎の画素数を、該画素数に応じた長さの棒状グラフでライン毎に表示し、かつ、該ライン毎の棒状グラフの中心位置が全ての棒状グラフに亘って一定の位置となるように表示する棒状グラフ表示制御手段９８３を備える。
【００３５】
図２は、黒画素数の棒状グラフを、通帳の実際の黒画素の配置形状の外観と類似した形状に加工して表示する例を示す。図２の（ａ）は、図１２の（ａ）と同様の、ラインセンサ１１１にゴミ１２１が付着した場合の、常に数個の黒画素（ゴミ画素）が入り込む例を示している。
【００３６】
図１２の（ｂ）に示す黒画素数の棒グラフの表示方法では、ゴミ１２１の黒画素が小さい場合、棒グラフのゼロを表す基準線と、ゴミ１２１の黒画素数の表示とが近接したものとなり、一見しただけでは区別し難いものであった。
【００３７】
それに対して、図２の（ｂ）に示すように、黒画素数に応じた長さの棒状グラフ２１をライン毎に表示し、かつ、該ライン毎の棒状グラフの中心位置が、全ての棒状グラフに亘って一定の位置となるように表示することにより、縦型バーコードの外観の形状、記帳印字の外観の形状、ラインセンサ１１１に付着したゴミによる黒画素２２等を、容易に見分けることができるように表示することができる。
【００３８】
黒画素の画素数から上述の表示形態で表示するために、棒状グラフ表示制御手段９８３は、下記の計算式（１）による演算を行う。
Ｙ＝α−（黒画素数／２）  ・・・（１）
【００３９】
ここで、Ｙは、表示画面の左端と棒状グラフの左端との間の余白数である。αは各棒状グラフの中心位置である。ラインセンサ１１１で読取られた各ラインの黒画素数毎に、上記の計算式（１）による余白数Ｙを算出し、該余白数Ｙと黒画素数とを対応付けてメモリに記憶する。
【００４０】
図３の（ａ）は、余白数Ｙと黒画素数とを対応付けたテーブルの例を示す。図３の例では、中心位置αを１００としている。そして、図３の（ｂ）に示すように、表示画面の左端位置（０）から余白数Ｙの分空けた位置から、黒画素数に応じた長さの棒状グラフをライン毎に順々に積み重ねて表示する。そうすることにより、中心位置１００を中心に左右均等に広がる棒状グラフが表示される。なお、余白数Ｙの部分は、白抜きの表示にすることにより、黒画素数に応じた長さの棒状グラフのみが中心位置に表示される。
【００４１】
また、通帳の記帳面におけるバーコードや記帳印字の位置関係の把握を容易にするために、バーコード位置や記帳印字の行位置を示す補助ラインを追加して表示する構成としても良い。図４は補助ラインを表示する例を示している。図４は図２に示した棒状グラフの表示例に、補助ライン４１、４２を追加して表示する例を示している。
【００４２】
図４に示すように、前述の棒状グラフ２１を、該補助ライン４１、４２とともに、通帳９１におけるバーコード等の画素の配置位置に対応した位置に配置して表示する。補助ライン４１、４２を追加して表示することにより、通帳９１の記帳面にさらに類似した疑似的な表示が可能となる。
【００４３】
さらに他の実施例として、補助ライン４１、４２により示される配置位置からはみ出す黒画素の棒状グラフとなった場合は、ゴミ等の影響による読取り異常が発生したことを示す警告を表示する。そうすることにより、通帳返却の原因をさらに容易に特定することが可能となる。
【００４４】
図５は、バーコードにゴミ画素が加わったことにより、本来発生すべき黒画素数より多く黒画素数が発生し、補助ライン４１を超える黒画素数の棒状グラフ５１が発生したため、補助ライン４１を点滅表示させて、警告を表示する例を示している。
【００４５】
同様に、横型バーコードや記帳印字の行検出のずれに対して、同様に補助ラインを越える黒画素数の棒状グラフが発生した場合も、該棒状グラフが越えた補助ラインを点滅表示するなどにより、警告を表示することができる。
【００４６】
また、通帳の記帳頁の折れ曲がり等により、本来、黒画素が存在すべき位置の黒画素が隠されて読込まれず、本来の黒画素数より減少した黒画素数となり、黒画素数の棒状グラフの端部が補助ラインから所定長以上離れている場合等にも、同様に補助ラインを点滅表示するなどにより、警告を表示することができる。
【００４７】
また、通帳の読取異常による通帳返却時に、該通帳返却の要因を確認する銀行員や保守員は、一例として図６に示す手順のように、通帳から読取った黒画素数の外観擬似表示画面を表示させることができる。銀行員又は保守員は、操作部８２の表示部に、係員処理モード画面６１を表示し、該係員処理モード画面６１において、通帳返却ログボタン６２を指触して選択して、通帳返却ログ画面６３を表示し、異常発生時の通帳返却ログ画面６３の詳細ボタン６４を指触して選択する。
【００４８】
すると、異常発生の通帳読取り時の黒画素数による外観擬似表示画面６５を表示し、該外観擬似表示画面６５に、上述の黒画素数の棒状グラフを表示する。銀行員又は保守員は、外観擬似表示画面６５の上述の黒画素数の棒状グラフを見て、通帳返却の要因を見分けることができる。
【００４９】
図６の例では、黒画素数による外観擬似表示画面６５に、ラインセンサ付着のゴミ等による読取り異常が発生しているため、記帳頁数のバーコードの認識異常を示す「頁異常」の警告６６、及び「汚れあり」の警告６７を表示する例を示している。
【００５０】
図７は本発明による取引用記録媒体の画素表示の処理フローを示す。取引用記録媒体である通帳９１が通帳読取装置８１の挿入口９２に挿入されると、搬送ローラ９３により搬送された通帳９１に付されているバーコード、日付欄等の印字文字の画素が、光学部９５における光学センサであるラインセンサ１１１により所定間隔毎にスキャンして逐次読み込まれる（ステップＳ７１）。
【００５１】
ラインセンサ１１１により読み込まれた通帳９１の画素は、通帳読取装置８１の制御部９８において、或る閾値より濃い画素に対して黒画素（論理値“１”）と判定され、ラインセンサ１１１による１ライン分のスキャンにおいて黒画素と判定された画素数の合計値を１ライン毎に記憶する（ステップＳ７２）。
【００５２】
黒画素の１ライン毎の画素数を、該画素数に応じた長さの棒状グラフで、かつ、該棒状グラフの中心位置が全ての棒状グラフに亘って一定の位置となるように１ライン毎に表示する（ステップＳ７３）。次に、読取った黒画素の記帳頁における配置位置を示すための補助ラインを表示するようにしてもよい（ステップＳ７４）。
【００５３】
次に、補助ラインで示される配置位置を、黒画素数の棒状グラフが越えるか否かを判定し（ステップＳ７５）、該配置位置を棒状グラフが越える場合（ステップＳ７５でＹｅｓの場合）、該補助ラインを特定して警告を表示するようにしてもよい（ステップＳ７７）。
【００５４】
また、棒状グラフの左又は右の端部が、それぞれ、補助ラインから所定長以上離れているか否かを判定し（ステップＳ７６）、所定長以上離れている場合（ステップＳ７６でＹｅｓの場合）、該補助ラインを特定して警告を表示するようにしてもよい（ステップＳ７７）。
【００５５】
このように、通帳からラインセンサで読取ったバーコード記帳印字の黒画素の画素数の棒状グラフを、通帳の実際の画素配置の外観の形状と類似した表示形状に加工し、その表示形状を顧客操作部の表示画面等に表示することにより、ラインセンサ若しくは通帳の汚れ又は通帳の折れ曲がり等による読取り異常の要因を、銀行員又は保守員らによって容易に見分けることが可能となる。
【００５６】
以上、本発明の取引用記録媒体取扱装置及び取引用記録媒体の画素表示方法の実施形態について説明したが、本発明は、上述の実施形態に限定されるものではなく、本発明の要旨を逸脱しない範囲内で種々の構成又は実施形態を取ることができる。
【符号の説明】
【００５７】
８１      通帳読取装置
９１      通帳
９２      挿入口
９３      搬送ローラ
９４      磁気部
９５      光学部
９６      印字部
９７      捲り部
９８      制御部
９８１    通信制御部
９８２    画素数記憶手段
９８３    棒状グラフ表示制御手段
【図１】
2014238729.tif 000003
【図３】
2014238729.tif 000004
【図７】
2014238729.tif 000005
【図８】
2014238729.tif 000006
【図９】
2014238729.tif 000007
【図１０】
2014238729.tif 000008
【図２】
2014238729.tif 000009
【図４】
2014238729.tif 000010
【図５】
2014238729.tif 000011
【図６】
2014238729.tif 000012
【図１１】
2014238729.tif 000013
【図１２】
2014238729.tif 000014